(57)【特許請求の範囲】
【請求項１】
繋ぎ服と頭巾とが一体化された防塵服において、
前記繋ぎ服及び頭巾内の空気を吸引し、濾過したうえで外部へ排出する吸引装置を有し、
前記繋ぎ服と前記頭巾との接続部に、前記繋ぎ服内の空間と前記頭巾内の空間とを連通させるための通気路が形成され、
一方側に凹部が形成されるように屈曲或いは湾曲した形状の芯材を前記接続部に配置することによって前記通気路が形成され、
前記芯材の凹部側の空間を仕切るように仕切部材が取り付けられていることを特徴とする吸引装置付き防塵服。
【発明の詳細な説明】
【技術分野】
【０００１】
本発明は、クリーンルーム用の防塵服に関し、特に、着用時に内部空間の空気を吸引することによって発塵を抑制できるようにした吸引装置付きの防塵服に関する。
【背景技術】
【０００２】
従来より、半導体をはじめとする精密機械の製造は、室内空間が常に高い清浄度に維持されるように構成されたクリーンルームにおいて行われている。作業者がそのようなクリーンルーム内に入室する際には、人体或いは着衣から生じる塵埃の飛散を防止できるように、通常、防塵衣が着用される。
【０００３】
防塵衣には、適用されるクリーンルームの清浄度等に応じて様々なタイプのものがあり、防塵性を有する布地を単純に縫製しただけのシンプルな防塵服のほか、吸引装置を付帯し、着用時において防塵服内の空気を吸引することによって、防塵服の内部空間が常に減圧状態（負圧）に保持されるように構成し、着衣からの発塵を可能な限り抑制できるようにした防塵服も存在する（特開平１０−１６８６２０号公報参照）。
【特許文献１】特開平１０−１６８６２０号公報
【発明の開示】
【発明が解決しようとする課題】
【０００４】
上述したような吸引装置は、基本的にはどのようなタイプの防塵服にも適用が可能である。例えば、防塵性を有する布地によって形成した頭巾が繋ぎ服に接続されているタイプの防塵服（フードタイプ）、着用者の頭部をヘルメットによって覆うように構成されているタイプの防塵服（ヘルメットタイプ）、或いは、着用者のフェイス部に透明なプラスチック製のバイザーが装着されているタイプの防塵服（バイザータイプ）など、各種の防塵服に吸引装置が適用されている。
【０００５】
しかしながら、吸引装置をフードタイプの防塵服に適用した場合、着用時、減圧状態の下で、繋ぎ服と頭巾との接続部分において防塵服の布地が着用者の頸周りに張り付いて、繋ぎ服内空間と頭巾内空間との通気が遮断されてしまうことがあり、この場合、頭巾内空間をうまく減圧することができず、頭部からの発塵を抑制できないという問題がある。一方、ヘルメットタイプやバイザータイプの防塵服は、視界が制限されてしまうという問題があるほか、顕微鏡を覗くことができない、乱反射の影響を受けてしまう、といった問題がある。
【０００６】
本発明は、上記のような問題を解決すべくなされたものであって、頭巾内空間についても好適に減圧することができ、頭部からの発塵を可及的に抑制することができる吸引装置付き防塵服を提供することを目的とする。
【課題を解決するための手段】
【０００７】
本発明の吸引装置付き防塵服は、繋ぎ服と頭巾とが一体化された防塵服において、繋ぎ服及び頭巾内の空気を吸引し、濾過したうえで外部へ排出する吸引装置を有し、繋ぎ服内空間と頭巾内空間とを連通させるための通気路が形成されていることを特徴としている。
【０００８】
尚、繋ぎ服内空間と頭巾内空間とを連通させるための通気路は、十分な剛性を有し、一方側に凹部が形成されるように屈曲或いは湾曲した形状の芯材を、繋ぎ服と頭巾との接続部に配置することによって形成することが好ましい。また、芯材の凹部側の空間を仕切るように仕切部材を取り付けることが好ましい。
【発明の効果】
【０００９】
本発明の吸引装置付き防塵服においては、繋ぎ服内空間と頭巾内空間とを連通させるための通気路が形成されているため、吸引装置を繋ぎ服側に装着した場合でも、頭巾内の空間を、繋ぎ服内の空間と同様に減圧することができ、その結果、頭部からの発塵を好適に抑制することができる。
【００１０】
また、一方側に凹部が形成されるように屈曲或いは湾曲した形状の芯材を、繋ぎ服と頭巾との接続部に配置した場合、防塵服の布地と着用者の身体等との間に所望の断面積を有する空隙を形成することができ、これを、繋ぎ服内の空間と頭巾内の空間とを連通させる通気路として機能させることができる。
【００１１】
更に、芯材の凹部側の空間を仕切るように仕切部材を取り付けた場合には、着用者の着衣や、防塵服の一部等が芯材の凹部内空間に進入することによって、通気路の断面積が減じられてしまうという事態を回避することができ、通気路を、常に十分な大きさの断面積にて確保することができる。
【発明を実施するための最良の形態】
【００１２】
以下、添付図面に沿って、本発明の実施形態について説明する。図１は、本発明に係る吸引装置付き防塵服１の上方部分の斜視図、図２は、その側面図である。これらの図に示されているように、本発明に係る防塵服１においては、繋ぎ服２と頭巾３とが一体化されている。
【００１３】
繋ぎ服２と頭巾３との接続部４（着用者の頸周りに相当する部分）には、剛性を有する芯材５が取り付けられている。この芯材５は、図３に示すように、水平断面形状が「く」の字形となる屈曲形状をしており、凸部が外側となるような向きで接続部４に取り付けられている。尚、芯材５については、水平断面形状が円弧状となる湾曲形状のものを用いることもできる。
【００１４】
芯材５は、繋ぎ服２内の空間と頭巾３内の空間とを連通させるための通気路７を形成するためのものである。より具体的に説明すると、吸引装置付き防塵服１において吸引装置を作動させると、防塵服１内の空間が減圧されることになり、その結果、防塵服１を構成する布地は、外気圧によって、着用者の身体或いは着衣に対して押し付けられ、張り付いた状態となるが、着用者の頸周り部分に位置する接続部４には、所望の剛性を有する芯材５が取り付けられているため、この部位においては「防塵服１の布地が着用者の身体等に対して張り付いてしまう」という事態を好適に回避することができ、防塵服１の布地と着用者の身体等との間に所望の断面積を有する空隙を形成することができる。
【００１５】
その結果、繋ぎ服２内の空間と頭巾３内の空間は、この空隙（通気路７）を介して連通状態となり、吸引装置を繋ぎ服２側に装着した場合であっても、頭巾３内の空間を、繋ぎ服２内の空間と同様に減圧することができ、頭部からの発塵を好適に抑制することができる。
【００１６】
尚、図３に示すように、芯材５の凹部側の空間を仕切るように仕切部材６を取り付けた場合には、着用者の着衣や、防塵服１の一部等が芯材５の凹部内空間に進入することによって、通気路７の断面積が減じられてしまうという事態を回避することができ、通気路７を、常に十分な大きさの断面積にて確保することができる。
【実施例】
【００１７】
本発明の発明者らが行った試験の結果、本発明に係る吸引装置付き防塵服は、従来の吸引装置付き防塵服と比較して、極めて高い防塵性能を有していることが実証された。以下、発明者らが行った試験の結果を、本発明の実施例として説明する。
【００１８】
本発明の実施例として、図１に示した吸引装置付き防塵服（繋ぎ服と頭巾とが一体化され、繋ぎ服及び頭巾内の空気を吸引し、濾過したうえで外部へ排出する吸引装置を有し、十分な剛性を有し、一方側に凹部が形成されるように屈曲或いは湾曲した形状の芯材を、繋ぎ服と頭巾との接続部に配置することによって、繋ぎ服内空間と頭巾内空間とを連通させる通気路が形成されている吸引装置付き防塵服）を用意した。
【００１９】
また、比較例として、従来の吸引装置付き防塵服（繋ぎ服内空間と頭巾内空間とを連通させる通気路が形成されていない吸引装置付き防塵服）を用意し、それぞれの防塵性能を比較するための試験を行った。尚、本発明の実施例、及び、比較例のいずれの防塵服も、同一の素材（防塵性を有する布地）によって構成されており、付帯する吸引装置を動作させていない状態においては、ほぼ同等の防塵性能（クラス１００以上の高い清浄度のクリーンルームに適用可能なレベルの性能）を有するもの（いずれもクリーニング直後のもの）を使用した。
【００２０】
防塵性能の比較試験は、同一の被験者が、本発明の実施例と比較例を、時間を隔てて順番に着用し、吸引装置を動作させた状態で、当該被験者の身体或いは着衣から試験室内空間に放出されるパーティクル（塵埃）の数をそれぞれ測定することによって行った。パーティクルの測定には、株式会社日立製作所製の「ダストモニターＴＳ−６２００（商品名）」を使用した。
【００２１】
尚、パーティクルの測定は、クラス１００のクリーンルーム内において、上記ダストモニターによる０．１μｍ以上の大きさのパーティクルのカウント数が「０」の状態から開始した。また、測定ポイントは被験者の首元付近とし、被験者の静止時（直立姿勢で静止）と動作時（肘を鋭角に折り曲げ、上腕を水平に持ち上げた状態から、脇に付くまで９０°振り下ろす動作を６０回繰り返す）のそれぞれについて５回ずつ測定を行った。それらの結果を表１に示す。
【００２２】
【表１】
0005112894.tif 000002
（上記表において各欄に示されている数値は、それぞれ５回ずつ実施した測定結果の平均値である。）
【００２３】
上記表１に示されているように、本発明の吸引装置付き防塵服の場合、静止時については、０．１０μｍ以上のパーティクルは一切測定されず、また、動作時についても、０．５０μｍ以上のパーティクルは一切測定されなかった。そして、動作時における０．１０μｍ以上のパーティクルのカウント数は、比較例の「約４６分の１」、０．２０μｍ以上のパーティクルについては、比較例の「約５０分の１」、０．３０μｍ以上のパーティクルに至っては、比較例の「約１６２分の１」という結果が得られた。このように、本発明の吸引装置付き防塵服は、従来の吸引装置付き防塵服と比較して、極めて高い防塵性能を有しているということが実証された。
【図面の簡単な説明】
【００２４】
【図１】本発明に係る吸引装置付き防塵服１の上方部分の斜視図。
【図２】本発明に係る吸引装置付き防塵服１の上方部分の一部切欠側面図。
【図３】図１、図２に示した芯材５の斜視図。
【符号の説明】
【００２５】
１：防塵服、
２：繋ぎ服、
３：頭巾、
４：接続部、
５：芯材、
６：仕切部材、
７：通気路
【図１】
0005112894.tif 000003
【図２】
0005112894.tif 000004
【図３】
0005112894.tif 000005